(57)【要約】【課題】圧入装置や専用の治具といった圧入用の部品を必要とせず、簡単な作業工程で箱を封じることができ、それでいてネジ止めした箱を不正開封すると開封の事実が確実に残るようにする。【解決手段】ネジが、軸回りの回転力を受ける回転力受け部が表面に形成された頭部と、該頭部からのネジ弛め方向への回転力を伝達されない軸部と、を備えるようにする。【選択図】図２
2011214665.tif 000002
【特許請求の範囲】
【請求項１】
軸回りの回転力を受ける回転力受け部が表面に形成された頭部と、
該頭部からのネジ弛め方向への回転力を伝達されない軸部と、を有することを特徴とするネジ。
【請求項２】
前記頭部からのネジ締め方向への回転力を前記軸部に伝達し、前記頭部からのネジ弛め方向への回転力を前記軸部に伝達しない伝達遮断部が、前記頭部と前記軸部の間に設けられたことを特徴とする請求項１記載のネジ。
【請求項３】
前記伝達遮断部は、内軸と外輪とを有するワンウェイクラッチであり、
前記ワンウェイクラッチは、
予め定められた一方の方向への回転時には前記内軸に対して前記外輪が回転力を伝達し、
他方の方向への回転時には前記内軸に対して前記外輪が回転力を伝達せずに空転することを特徴とする請求項２記載のネジ。
【請求項４】
前記頭部は、前記ワンウェイクラッチの前記内軸および前記外輪の何れか一方に形成された嵌め合い部に該頭部の嵌め合い部が圧入されて固定され、
前記軸部は、前記ワンウェイクラッチの前記内軸および前記外輪の何れか他方に形成された嵌め合い部に該軸部の嵌め合い部が圧入されて固定されたことを特徴とする請求項３記載のネジ。
【請求項５】
前記頭部は、前記ワンウェイクラッチの前記内軸および前記外輪の何れか一方と一体構造として構成され、
前記軸部は、前記ワンウェイクラッチの前記内軸および前記外輪の何れか他方と一体構造として構成されたことを特徴とする請求項３記載のネジ。
【請求項６】
前記頭部における前記回転力受け部を少なくとも含む部分が、前記伝達遮断部に対して取り外し可能に構成されたことを特徴とする請求項２から５の何れか１項に記載のネジ。
【請求項７】
第１の部分における開口部を第２の部分が被装する構成の箱であって、
請求項１から６の何れか１項に記載のネジにより前記第２の部分が前記第１の部分を被装した状態で固定されたことを特徴とする不正開封防止箱。
【発明の詳細な説明】
【技術分野】
【０００１】
本発明は、例えば木ネジやボルトなどのネジおよび、開封困難であると共に一度でも開封すると開封の事実が確実に残る不正開封防止箱に関する。
【背景技術】
【０００２】
例えば遊技機における制御基板を格納する箱では、その箱が第３者により不正に開封されてしまうと、基板に不正な加工をされてしまい、遊技機の動作を正常でないものとされてしまう虞がある。このため、こうした箱では不正開封を防止するため、天板を封じるのに、例えば図８に示すようなピン型封印金具８１０を図９に示すようなナット型封印金具８２０に圧入して固定するといった方法が用いられている。
【０００３】
図８に例示するピン型封印金具８１０は、嵌合凹部８１３が凹設された封印用ピン８１２に、キャップ８１１が取り付けられて構成される。
図９に例示するナット型封印金具８２０は、嵌合凹部８１３と嵌合する封印用ナット８２２に、キャップ８２１が取り付けられて構成される。
【０００４】
こうした圧入では圧入装置（不図示）と専用の封印用治具（不図示）を用いて、ピン型封印金具８１０にナット型封印金具９１０への挿入方向に高い圧力をかけ、ピン型封印金具８１０の封印用ピン８１２をナット型封印金具９１０の封印用ナット８２２内に圧入し、嵌合凹部８１３と封印用ナット８２２とを嵌合させて固定する。
【０００５】
また、不正開封を防止する目的のネジとして、図１０に示すものなど、専用工具でしか締めることも弛めることもできないネジ９００が知られている。
また、こうした各種の専用工具を用いるためのネジ締め機も知られている（例えば、特許文献１参照）。
【先行技術文献】
【特許文献】
【０００６】
【特許文献１】特開２００９−１０１４９９号公報
【発明の概要】
【発明が解決しようとする課題】
【０００７】
しかしながら、上述した図８に示すピン型封印金具８１０を図９に示すナット型封印金具８２０に圧入する固定方法では、専用の治具を用いてナット型封印金具８２０を固定し、圧入装置によりピン型封印金具８１０に挿入方向へと高い圧力をかける必要があるため、作業工程に手間がかかってしまっていた。また、高い圧力を所定方向に高精度にかけるための大型の圧入装置や専用の治具も必要となり、必要な部品点数やコストが大きくなってしまっていた。
【０００８】
また、図１０に示すネジ９００では、不正開封しようとする第３者が専用工具を持っている場合には開封されてしまう虞があった。また、特許文献１に示されるネジ締め機を用いても、不正開封しようとする第３者がそのネジ締め機を持っている場合には開封されてしまう虞があった。
【０００９】
本発明はこのような状況に鑑みてなされたものであり、圧入装置や専用の治具といった圧入用の部品を必要とせず、簡単な作業工程で箱を封じることができ、ネジ止めした箱を不正開封すると開封の事実が確実に残るネジおよび不正開封防止箱を提供することを目的とする。
【課題を解決するための手段】
【００１０】
かかる目的を達成するために、本発明に係るネジは、軸回りの回転力を受ける回転力受け部が表面に形成された頭部と、該頭部からのネジ弛め方向への回転力を伝達されない軸部と、を有することを特徴とする。
【００１１】
また、本発明に係る不正開封防止箱は、第１の部分における開口部を第２の部分が被装する構成の箱であって、上述した本発明に係るネジにより第２の部分が第１の部分を被装した状態で固定されたことを特徴とする。
【発明の効果】
【００１２】
以上のように、本発明によれば、圧入装置や専用の治具といった圧入用の部品を必要とせず、簡単な作業工程で箱を封じることができる。それでいて、ネジ止めした箱を不正開封すると開封の事実が確実に残るように箱を閉じることができる。
【図面の簡単な説明】
【００１３】
【図１】本発明の実施形態としてのネジ１００を示す斜視図である。
【図２】本発明の実施形態としてのネジ１００を示す分解斜視図である。
【図３】ボール式のワンウェイクラッチ部２を示す横断面図である。
【図４】ボール式のワンウェイクラッチ部２のクラッチ動作を説明する図である。
【図５】ボール式のワンウェイクラッチ部２のクラッチ動作を説明する図である。
【図６】本発明の実施形態としての不正開封防止箱２００を示す斜視図である。
【図７】本発明の他の実施形態としてのネジ１００を示す縦断面図である。
【図８】従来のピン型封印金具を示す図である。
【図９】従来のナット型封印金具を示す図である。
【図１０】従来の一方向ネジを示す図である。
【発明を実施するための形態】
【００１４】
次に、本発明に係るネジおよび不正開封防止箱を適用した一実施形態について、図面を用いて詳細に説明する。
【００１５】
まず、本実施形態の概略について説明する。
本実施形態のネジは、ネジ締め方向に回転させる時には通常のネジと同様にドライバなどでネジ締めを行うことができ、ネジ弛め方向には頭部が空転してしまう構成となっている。
【００１６】
このため、例えば遊技機の制御基板などが納められた箱を、本実施形態のネジを締めることにより閉じると、開封するには箱を破壊するなど、開封の事実を残す以外の方法がなくなるようにすることができる。このため、不正開封を確実に防止できる不正開封防止箱を通常のネジ締めと同様の作業工程だけで簡単に実現することができる。
【００１７】
次に、本実施形態の構成について説明する。
本実施形態のネジ１００は、図１、図２に示すように、ドライバなどの工具と嵌合する嵌合凹部１１（回転力受け部）が形成された頭部１と、ワンウェイクラッチ部２と、所定のネジ山（不図示）が刻設された軸部３と、がこの順に連接されて構成される。
嵌合凹部１１は、ネジ締め作業の時にドライバなどの工具からネジ１００の軸回りの回転力を受けるための部分である。
【００１８】
ワンウェイクラッチ部２は、軸部３の軸芯と同軸の外輪および内軸を備え、この外輪と内軸との間で、予め定められた一方の方向への回転時には回転力を伝達し、他方の方向への回転時には回転力を伝達せずに空転する。上述した頭部１はこのワンウェイクラッチ部２の外輪に接合され、軸部３はワンウェイクラッチ部２の内軸に接合される。
【００１９】
この構成により、ワンウェイクラッチ部２は、ドライバなどの工具から頭部１に加えられるネジ締め方向への回転力を軸部３に伝達し、頭部１にネジ弛め方向への回転力が加えられると軸部３にその回転力を伝達せず、空転する。
【００２０】
ワンウェイクラッチ部２は、例えば図３、図４に示すボール式の構成であってよい。この図３、図４に示す構成例では、ワンウェイクラッチ部２は、軸部３の軸芯と同軸の外輪２１、内軸２２の間に、ボール２３と、バネ２４とが設けられて構成される。
【００２１】
図４（ａ）に示すクラッチのかみ合い時、すなわち頭部１にネジ締め方向への回転力が加えられた時、外輪２１が内軸２２に対してネジ締め方向（図４の例では時計回り方向）に回転しようとするため、バネ２４の弾性力によりボール２３は外輪２１内側におけるカム面のかみ合い位置に進み、この外輪カム面と内軸２２とのくさび作用で外輪２１から内軸２２へとボール２３を介して回転力が伝達される。
【００２２】
図４（ｂ）に示すクラッチの空転時、すなわち頭部１にネジ弛め方向への回転力が加えられた時、外輪２１が内軸２２に対してネジ弛め方向（図４の例では反時計回り方向）に回転しようとするため、ボール２３はバネ２４を付勢する方向、すなわち外輪２１内側におけるカム面のかみ合い位置から離れる方向に進む。こうしてボール２３が外輪２１内側におけるカム面のかみ合い位置から離れることにより、外輪２１は内軸２２に対して空転し、頭部１からの回転力が軸部３に伝達されずに遮断されることとなる。
【００２３】
また、ワンウェイクラッチ部２は、例えば図５に示すギア式の構成であってもよい。この図５に示す構成例では、ワンウェイクラッチ部２は、軸部３の軸芯と同軸の外輪（不図示）および内軸（不図示）と、内軸に接合されるギア２５と、外輪に接合されるツメ２６とを備えて構成される。
【００２４】
図５（ａ）に示すクラッチのかみ合い時、すなわち頭部１にネジ締め方向への回転力が加えられた時、逆回転防止用に設けられたツメ２６がギア１５の歯にかみ合うため、外輪から内軸へと回転力が伝達される。
【００２５】
図５（ｂ）に示すクラッチの空転時、すなわち頭部１にネジ弛め方向への回転力が加えられた時、逆回転防止用のツメ２６はギア１５の歯に押し上げられるだけでかみ合うことなくギア１５表面を滑っていくこととなるため、外輪は内軸に対して空転し、頭部１からの回転力が軸部３に伝達されずに遮断されることとなる。
【００２６】
図１、図２に示すネジ１００の頭部１におけるワンウェイクラッチ部２の外輪との接続部分、およびワンウェイクラッチ部２の外輪における頭部１との接続部分には、それぞれ互いに嵌合する嵌め合い部分（不図示）が形成される。頭部１、ワンウェイクラッチ部２の外輪それぞれの嵌め合い部分を嵌合させるように圧入装置で挿入方向に高い圧力を加えることにより、頭部１とワンウェイクラッチ部２とが接合される。
【００２７】
この接合による接合強度は、本実施形態によるネジの使用が想定される不正開封防止箱の破断強度よりも高い強度であることが望ましい。この接合強度であることにより、頭部１とワンウェイクラッチ部２とを不正に外すためには、そのために加えられる外力により本実施形態によるネジが用いられる不正開封防止箱の方が先に変形、破壊されることとなり、不正開封の事実が確実に残るようにすることができる。
【００２８】
また、ネジ１００の軸部３におけるワンウェイクラッチ部２の内軸との接続部分、およびワンウェイクラッチ部２の内軸における軸部３との接続部分には、それぞれ互いに嵌合する嵌め合い部分（不図示）が形成される。軸部３、ワンウェイクラッチ部２の内軸それぞれの嵌め合い部分を嵌合させるように圧入装置で挿入方向に高い圧力を加えることにより、軸部３とワンウェイクラッチ部２とが接合される。
【００２９】
この接合による接合強度は、上述した頭部１とワンウェイクラッチ部２との接合強度と同様に、本実施形態によるネジの使用が想定される不正開封防止箱の破断強度よりも高い強度であることが望ましい。この接合強度であることにより、軸部３とワンウェイクラッチ部２とを不正に外すためには、そのために加えられる外力により本実施形態によるネジが用いられる不正開封防止箱の方が先に変形、破壊されることとなり、不正開封の事実が確実に残るようにすることができる。
【００３０】
以上のように、上述した実施形態としてのネジによれば、頭部１の嵌合凹部１１に嵌合する例えばプラス型ドライバなどの汎用工具によりネジ締めを行うだけで、ネジ弛め方向の回転力には頭部が空転してしまう一方向ネジを構成することができる。
【００３１】
このため、不正開封防止のために、ピンやナットに加えて圧入装置や専用の治具といった圧入用の部品を必要とせず、必要な部品点数を抑えることができると共に、簡単な作業工程で箱を封じることができる。それでいて、不正開封すると開封の事実が確実に残るように箱を閉じることができる。
【００３２】
また、本実施形態に係るネジを大量生産することで低コストとすることもでき、かつ、現場での作業工程も簡単なものですむため、確実な不正開封防止箱をさらに低コストで実現することができる。
【００３３】
次に、本実施形態としての不正開封防止箱について、図６を参照して説明する。
図６に示す不正開封防止箱２００は、箱体２０２（第１の部分）の開口部を天板２０１（第２の部分）が被装する構成となっている。この天板２０１が箱体２０２の開口部を被装した状態で、上述した実施形態に係るネジ１００で天板１００から箱体２０２に設けられたねじ込み部分（不図示）にネジ締めを行うことにより、天板２０１が箱体２０２に対してネジ止めで固定される。
【００３４】
以上のように不正開封防止箱を構成することにより、例えばプラス型ドライバなど、ネジ１００の頭部１の嵌合凹部１１に嵌合する汎用工具によりネジ締めを行うだけの簡単な作業工程で不正開封防止箱２００を構成することができる。
それでいて、この不正開封防止箱２００を開封するには、ネジ１００の頭部１がネジ弛め方向には空転してしまうため、天板２０１や箱体２０２を変形、破壊するといった開封の形跡が残る方法しかあり得ない。このため、不正開封すると開封の事実が確実に残り、不正開封の防止にもつながる不正開封防止箱とすることができる。
【００３５】
また、不正開封防止箱２００の天板２０１の表面からネジ１００の頭部１が凸出しないようにネジ止めすると、頭部１の側面に触れることもできないようにすることができ、不正開封防止箱２００のセキュリティをさらに高めることができる。
この場合、天板２０１にネジ１００の頭部１およびワンウェイクラッチ部２が収まるサイズの穴が開けられ、その穴にネジ１００をネジ止めすることが好ましい。
【００３６】
なお、上述した各実施形態は本発明の好適な実施形態であり、本発明はこれに限定されることなく、本発明の技術的思想に基づいて種々変形して実施することが可能である。
【００３７】
例えば、嵌合凹部１１は、図１，図２，図６ではプラス型の例を示しているが、工具からの軸回りの回転力を受けることができればこの形状に限定されず、例えばマイナス型、ヘクスグローブ型など任意の形状であってよい。
【００３８】
また、軸部３に刻設されるネジ山は、任意の形状、種類のものであってよく、例えばネジの巻く方向、ねじ山の条数、歯の断面形状なども任意のものであってよい。
【００３９】
また、上述した実施形態におけるワンウェイクラッチ部２と頭部１、ワンウェイクラッチ部２と軸部３は、接合されていれば嵌め合い部による圧入に限定されず、例えば溶接により接合されてもよい。
【００４０】
また、図７に例示するように、ワンウェイクラッチ部２の外輪と頭部１、ワンウェイクラッチ部２の内軸と軸部３がそれぞれ一体構造であってもよい。
この場合、製造方法としては、例えばワンウェイクラッチ部２における底板２７を製造時点では別部品とし、ワンウェイクラッチの内軸と一体構造である軸部３と、ワンウェイクラッチ部２の他の部品（ボール式であればボール２３とバネ２４など）とをワンウェイクラッチ部２の外輪内部に組み込んだ上で、ワンウェイクラッチ部２の外輪に底板２７を溶接するといった方法であってもよい。
また、ワンウェイクラッチ部２の外輪に底板２７相当の部材を連設しておき、軸部３と、ワンウェイクラッチ部２の他の部品とをワンウェイクラッチ部２の外輪内部に組み込んだ上で、ワンウェイクラッチ部２の外輪に連設された部材を変形させて開放部を封印し、底板２７を形成する製造方法であってもよい。
【００４１】
この図７に示す構成例のように一体構造とすることで、頭部１をワンウェイクラッチ部２から取り外されることがなくなり、ネジとしての強度を上げることができる。さらに、ネジ１００の構成部品点数が減ることによりネジ１００の大量生産時の製造コストを下げることができる。
【００４２】
また、上述した実施形態におけるワンウェイクラッチ部２と、頭部１、軸部３との接合では、頭部１がワンウェイクラッチ部２の外輪に接合され、軸部３がワンウェイクラッチ部２の内軸に接合されることとして説明したが、外輪と内軸の何れか一方に頭部１が接合され、他方に軸部３が接合される構成であればこのものに限定されず、逆に頭部１がワンウェイクラッチ部２の内軸に接合され、軸部３がワンウェイクラッチ部２の外輪に接合される構成であってもよい。
この構成の場合にも、クラッチのかみ合い方向と空転方向とが逆になるだけで、上述した実施形態を同様に適用することができる。
【００４３】
また、ネジ１００の頭部１から、嵌合凹部１１を含む部分がネジ締め後に取り外し可能となる構成であってもよい。この構成は、例えば所定値以上のネジ締め方向の回転力が工具から嵌合凹部１１にかけられた場合に、嵌合凹部１１を含む部分が頭部１から外れるようにするといった構成により実現することができる。
このように構成することで、ネジ締め後には嵌合凹部１１が取り外され、それでいて嵌合凹部１１が取り外された頭部１が残るためにワンウェイクラッチ部２に触れることもできない不正開封防止箱を構成することができる。このため、不正開封防止箱２００のセキュリティをさらに向上させることができる。
【符号の説明】
【００４４】
１    頭部
１１    嵌合凹部（回転力受け部の一例）
２    ワンウェイクラッチ部
２１    外輪
２２    内軸
２３    ボール
２４    バネ
２５    ギア
２６    ツメ
２７    底板
３    軸部
【図１】
2011214665.tif 000003
【図２】
2011214665.tif 000004
【図３】
2011214665.tif 000005
【図４】
2011214665.tif 000006
【図５】
2011214665.tif 000007
【図６】
2011214665.tif 000008
【図７】
2011214665.tif 000009
【図８】
2011214665.tif 000010
【図９】
2011214665.tif 000011
【図１０】
2011214665.tif 000012